(57)【要約】【課題】  従来の把柄前面が柱脚前面より前方に位置するタイプ（以下、「中首タイプ」という。）の左官鏝は把柄前部に空隙が残置される構造であり、柱脚と把柄の間の緩み防止および把柄を握り易くするため、木片を当該空隙に埋設して対処していたが、使用回数の増加および経年劣化等により、木片と把柄の接触面の付着力の低下を招いて木片が脱落し、再び空隙が発生することにより、柱脚と把柄の間に緩みが生じ、その結果、柱脚と把柄が分離して左官鏝の寿命を縮めていた。【解決手段】  本考案の中首タイプの左官鏝の柱脚頭部形状を埋設用木片と柱脚を一体化した形状とすることによって、木片を埋設せずにすみ、木片の脱落、これに続く空隙の発生、柱脚と把柄の間の緩みが生じなくなり、左官鏝の寿命が延びる。【選択図】図１２
0003135650.tif 000002
【実用新案登録請求の範囲】
【請求項１】
把柄前面が柱脚前面より前方に位置するタイプ（以下、「中首タイプ」という。）の左官鏝において、柱脚に把柄を取着した場合、空隙が把柄前部に残置され、当該空隙を解消するために通常木片が埋設されるが、柱脚の頭部形状を当該木片形状と従来の柱脚頭部形状を一体化した形状とすることによって、耐久性を向上した左官鏝。
【考案の詳細な説明】
【技術分野】
【０００１】  本考案は左官鏝の鏝板の上面中央に立設される柱脚とこれに取着される把柄との付着力を増加するとともに、把柄前部に従来残置していた空隙部の埋設作業を省略する左官鏝を提供するものである。
【背景技術】
【０００２】  従来の把柄前面が柱脚前面より前方に位置するタイプ（以下、「中首タイプ」という。）の左官鏝では把柄前部に残置する空隙に木片を埋設していた。
【考案の開示】
【考案が解決しようとする課題】
【０００３】  中首タイプの左官鏝の把柄は図１、図２および図３に示すとおりの中空構造となっており、柱脚に把柄を取着すると図４、図５、図６、図７および図８に示すとおり、把柄前部にのみ下部が開いた矩形状の空隙が残置されることになる。柱脚と把柄の間の緩み防止および把柄を握り易くするため、図９および図１０に示す木片を当該空隙に埋設して対処していたが、使用回数の増加および経年劣化等により、木片と把柄の接触面の付着力低下を招いて木片が脱落し、再び空隙が発生することにより、柱脚と把柄の間に緩みが生じ、その結果、柱脚と把柄が分離して左官鏝の寿命を縮めていた。
【課題を解決するための手段】
【０００４】  本考案では中首タイプの左官鏝の柱脚の頭部形状を木片と柱脚を一体化した形状に変更することにより課題を解決する。
【考案の効果】
【０００５】  本考案の中首タイプの左官鏝の柱脚頭部形状を木片と柱脚を一体化した形状とすることによって、木片を埋設する必要がなくなり、木片の脱落、これに続く空隙の発生、柱脚と把柄の間の緩みが発生せず、左官鏝の耐久性が向上する。【０００６】  また、本考案の柱脚頭部形状とすることにより、柱脚と把柄の接触面積が増大し、従来の中首タイプに比べ、柱脚と把柄の付着力が増加して、さらに左官鏝の耐久性が向上する。【０００７】  さらに、木片埋設作業がなくなるので中首タイプの左官鏝の製作効率が向上し、製作時間が短縮される。
【考案を実施するための最良の形態】
【０００８】  本考案の中首タイプの左官鏝の柱脚頭部形状を図９、図１０、図１１、図１２および図１３に示すとおりの形態とする。
【実施例】
【０００９】  本考案を図において説明すると図４に示す従来の中首タイプの柱脚２に図９に示す３ａを一体とした柱脚３の形態とする。
【図面の簡単な説明】
【００１０】
【図１】中首タイプの把柄側面図
【図２】中首タイプの把柄前部断面図
【図３】中首タイプの把柄後部断面図
【図４】従来の中首タイプの柱脚側面図
【図５】従来の中首タイプの柱脚に把柄を取着した左官鏝の側面図
【図６】従来の中首タイプの柱脚に把柄を取着した左官鏝の把柄前部断面図
【図７】従来の中首タイプの柱脚に把柄を取着した左官鏝の把柄中央部断面図
【図８】従来の中首タイプの柱脚に把柄を取着した左官鏝の把柄後部断面図
【図９】木片の側面図
【図１０】木片の断面図
【図１１】本考案の中首タイプの柱脚側面図
【図１２】本考案の中首タイプの柱脚に把柄を取着した左官鏝の側面図
【図１３】本考案の中首タイプの柱脚に把柄を取着した左官鏝の把柄前部断面図
【図１４】本考案の中首タイプの柱脚に把柄を取着した左官鏝の把柄中央部断面図
【図１５】本考案の中首タイプの柱脚に把柄を取着した左官鏝の把柄後部断面図
【符号の説明】
【００１１】１    中首タイプの把柄
１ａ  中首タイプの把柄前部
１ｂ  中首タイプの把柄後部
１ｃ  中首タイプの把柄中央部
２    従来の中首タイプの柱脚
２ａ  従来の中首タイプの柱脚中央部
２ｂ  従来の中首タイプの柱脚後部
３    木片
４    本考案の中首タイプの柱脚
４ａ  本考案の中首タイプの柱脚前部
４ｂ  本考案の中首タイプの柱脚中央部
４ｃ  本考案の中首タイプの柱脚後部
【図１】
0003135650.tif 000003
【図２】
0003135650.tif 000004
【図３】
0003135650.tif 000005
【図４】
0003135650.tif 000006
【図５】
0003135650.tif 000007
【図６】
0003135650.tif 000008
【図７】
0003135650.tif 000009
【図８】
0003135650.tif 000010
【図９】
0003135650.tif 000011
【図１０】
0003135650.tif 000012
【図１１】
0003135650.tif 000013
【図１２】
0003135650.tif 000014
【図１３】
0003135650.tif 000015
【図１４】
0003135650.tif 000016
【図１５】
0003135650.tif 000017
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
把柄前面が柱脚前面より前方に位置するタイプの左官鏝において、柱脚に把柄を取着した場合、下部が開いた矩形状の空隙が把柄前部に残置され、当該空隙を解消するために通常当該空隙と同形状の木片が埋設されるが、柱脚の頭部形状を当該木片形状と柱脚頭部形状を一体化した形状とすることによって、耐久性を向上した左官鏝。
【手続補正３】
【補正対象書類名】明細書
【補正対象項目名】０００３
【補正方法】変更
【補正の内容】
【０００３】  中首タイプの左官鏝の把柄は図１、図２および図３に示すとおりの中空構造となっており、図４に示す柱脚に把柄を取着すると図５、図６、図７および図８に示すとおり、把柄前部にのみ下部が開いた矩形状の空隙が残置されることになる。柱脚と把柄の間の緩み防止および把柄を握り易くするため、図９および図１０に示す木片を当該空隙に埋設して対処していたが、使用回数の増加および経年劣化等により、木片と把柄の接触面の付着力低下を招いて木片が脱落し、再び空隙が発生することにより、柱脚と把柄の間に緩みが生じ、その結果、柱脚と把柄が分離して左官鏝の寿命を縮めていた。
【手続補正４】
【補正対象書類名】明細書
【補正対象項目名】０００８
【補正方法】変更
【補正の内容】
【０００８】  本考案の中首タイプの左官鏝の柱脚頭部形状を図１１、図１２、図１３、図１４および図１５に示すとおりの形態とする。
【手続補正４】
【補正対象書類名】明細書
【補正対象項目名】０００９
【補正方法】変更
【補正の内容】
【０００９】  本考案を図において説明すると図４に示す従来の中首タイプの柱脚２と図９および図１０に示す３の木片の形状を一体とした図１１に示す柱脚４の形態とする。